(57)【要約】【課題】空気調和機において、荷電部に流れる電流値を抑えて、省エネでオゾンの発生を抑制した空気調和機を提供することを目的としている。【解決手段】機器内に、室外から室内に空気を取り入れるための風路１と、粉塵に帯電させる風路側荷電部２および室内側荷電部３と、粉塵を集塵する集塵部であるフィルター４と、粉塵を風路側荷電部２からフィルター４へ送る送風手段であるファンモーター５と、風路側荷電部２に電圧を印加する風路側電源装置６と、室内側荷電部３に電圧を印加する室内側電源装置７を備え、２箇所の電極に印加する電圧値を調整することができる。【選択図】図１
2008213711.tif 000002
【特許請求の範囲】
【請求項１】
機器内に、室外から室内に空気を取り入れるための風路と、粉塵に帯電させる風路側荷電部と、前記風路側荷電部の前段あるいは後段に配置した室内側荷電部と、前記帯電した粉塵を集塵する集塵部と、前記帯電した粉塵を荷電部から集塵部へ送る送風手段と、前記風路側荷電部に電圧を印加する風路側電源と、前記室内側荷電部に電圧を印加する室内側電源と、前記風路側荷電部に流れる電流値を検知する風路側電流検知手段と、前記室内側荷電部に流れる電流値を検知する室内側電流検知手段と、電流値を調節する制御手段を備え、前記制御手段で２箇所の荷電部を流れる電流値を調節して、必要な集塵効率を得られることを特徴とする空気調和機。
【請求項２】
前記風路側電流検知手段で検知した電流値によって、前記室内側荷電部にかかる電圧を調整することを特徴とする請求項１記載の空気調和機。
【請求項３】
粉塵濃度を検出する検出手段と、前記粉塵濃度に応じて前記制御手段が荷電部にかかる電圧を調節することを特徴とする請求項１記載の空気調和機。
【請求項４】
前記風路側荷電部または、前記室内側荷電部のどちらか一方を使用しないことを特徴とする請求項１記載の空気調和機。
【請求項５】
使用者に集塵効率を表示する表示手段を備えることを特徴とした請求項１記載の空気調和機。
【請求項６】
前記風路側荷電部と、前記室内側荷電部に異なる電圧をかけることで、集塵する粒子径を推測することを特徴とする、請求項１記載の空気調和機。
【請求項７】
集塵する粒子径が大きい場合、送風手段の速度を下げることを特徴とした、請求項６記載の空気調和機。
【請求項８】
集塵する粒子径を表示する表示手段を備えることを特徴とした請求項７記載の空気調和機。
【請求項９】
前記風路側荷電部と、前記室内側荷電部にかける電圧を調整することで、集塵する粒子径を変えることを特徴とする、請求項６記載の空気調和機。
【請求項１０】
推測した粒子径に従い、前記風路側荷電部と、前記室内側荷電部にかける電圧調整することで、集塵する粒子径を変えることを特徴とする、請求項６記載の空気調和機。
【請求項１１】
２箇所の荷電部のいずれかが性能を出せなくなった場合、他方の荷電部が性能を補うことを特徴とした、請求項１記載の空気調和機。
【請求項１２】
２箇所の荷電部にかかる高圧電源装置を１個で行うことを特徴とした、請求項１記載の空気調和機。
【発明の詳細な説明】
【技術分野】
【０００１】
本発明は、電気集塵部を備えた空気調和機に関する。
【背景技術】
【０００２】
従来、この種の電気集塵を搭載した空気調和器は、１つの電極を備え、電極間に高電圧を印加して粉塵に帯電し、集塵部で粉塵を捕集可能であった。
【０００３】
しかしながら、１つの電極では充分な捕集性能が得られず、集塵効率を高くするためには電極に印加する電圧値を高くすることが一般的であった。
【０００４】
そこで、電極を複数備えることで、粉塵に帯電する時間を多くし、捕集効率を上げる空気調和器が知られていた（例えば特許文献１参照）。
【０００５】
以下、その空気調和器について図７，８を参照しながら説明する。
【０００６】
ケーシング１０１内に第１集塵部１０２および、第２集塵部１０３を所定間隔をもって配設し、第１集塵部１０２を複数の集塵極１０７の間に放電極１０５が長手方向ほぼ全域にわたって配設して構成する一方、第２集塵部１０３を複数の集塵極１０７の間に複数の放電極１０８を長手方向ほぼ全域にわたって配設して構成し、各放電極１０５、１０８に高圧電源１０６がつながる。
【０００７】
上記構成によれば、粒子状物質が低濃度で所有する排気ガスに対して有効であり、自動車用トンネル内に装着される電子集塵機として設けられている。この場合、低濃度とは、排気ガス中の粒子状物質の含有率０．１ｍｇ／ｍ３以下の場合を表している。この電気集塵機において、箱型形状をなすケーシング１０１の一方にはガス導入口１０９が形成され、他方にはガス排気口１１０が形成されている。そして、このケーシング１０１内には、ガス流れ方向上流側にガス導入口１０９に近接した第１集塵部１０２とガス流れ方向下流側にガス排出口１１０に近接した第２集塵部１０３とかが所定間隔をもって配設されている。
【０００８】
このように構成された本実施形態の電気集塵装置にて、高圧電源１０６により第１集塵部１０２および第２集塵部１０３の各放電極１０８に高電圧を印加すると、各放電極１０８と各集塵極１０７の長手方向のほぼ全域にわたって各放電極１０８が配設されているため、第１集塵部１０２および第２集塵部１０３の全領域でコロナ放電される。
【０００９】
そのため、ガス導入口１０９からケーシング１０１内に流入した粉塵空気としの排ガスは、まず第１集塵部１０２に到達し、排ガス中の粒子状物質が放電極１０８と集塵極１０７との間に帯電され、帯電した粒子状物質は電気力によって対向する集塵極１０７へ引き付けられて捕集される。そして、第１集塵部１０２を通過した排ガスは第２集塵部１０３に到達し、排ガス中に残留する粒子状物質が放電極１０８と集塵極１０７との間で帯電され、帯電した粒子状物質が捕集された排ガスは清浄空気としてガス排出口１１０から外部に排出される。
【特許文献１】特開２００４−１６０２８６号公報
【特許文献２】特開２００３−１２６７３０号公報
【発明の開示】
【発明が解決しようとする課題】
【００１０】
このような従来の空気調和機では、１個のみの荷電部に印加する電圧の調整で集塵効率を調節するのは大きな電圧調整幅が必要であり、印加する電圧値も高くなるという課題があった。
【００１１】
また、室内に侵入する粉塵の量によって自動で荷電部にかかる電圧値を調節できないという課題があった。
【００１２】
また、室内に侵入する粉塵の量が少ないときに２箇所の荷電部に電圧が印加していると無駄な消費電力がかかるという課題があった。
【００１３】
また、使用者がどれだけ室内から侵入する粉塵を、どの程度集塵しているかがわからないという課題があった。
【００１４】
また、どのような粉塵が室内に侵入しているかがわからないという課題があった。
【００１５】
また、室内に侵入する粉塵が大きい場合、充分に集塵することができない場合があるという課題があった。
【００１６】
また、使用者がどのような粉塵が室内に侵入しているかがわからないという課題があった。
【００１７】
また、片方の荷電部が故障等により機能しなくなった場合、充分な集塵効率が得られなくなってしまうという課題があった。
【００１８】
また、荷電部の箇所と同じ数だけ荷電部に印加する電圧を供給するための電源が必要という課題があった。
【００１９】
本発明は、上記従来の課題を解決するもので、省エネであり、かつ粉塵の粒子径によって集塵を変えることができる空気調和システムを提供することを目的としている。
【課題を解決するための手段】
【００２０】
機器内に、室外から室内に空気を取り入れるための風路と、粉塵に帯電させる風路側荷電部と、前記風路側荷電部の前段あるいは後段に配置した室内側荷電部と、帯電した粉塵を集塵する集塵部と、帯電した粉塵を荷電部から集塵部へ送る送風手段と、風路側荷電部に電圧を印加する風路側電源と、室内側荷電部に電圧を印加する室内側電源と、風路側荷電部に流れる電流値を検知する風路側電流検知手段と、室内側荷電部に流れる電流値を検知する室内側電流検知手段と、電流値を調節する制御手段を備え、制御手段で２箇所の荷電部を流れる電流値を調節して、必要な集塵効率を得られる構成としたものである。
【００２１】
この手段により、２箇所の荷電部それぞれの集塵効率を調節することができる空気調和システムが得られる。
【００２２】
また、他の手段は、風路側電流検知手段で検知した電流値によって、室内側荷電部にかかる電圧を調整する構成としたものである。
【００２３】
この手段により、室内に侵入する粉塵の量によって、自動で集塵効率を変える空気調和システムが得られる。
【００２４】
また、他の手段は、粉塵濃度を検出する検出手段と、粉塵濃度に応じて制御手段が荷電部にかかる電圧を調節する構成としたものである。
【００２５】
この手段により、室内に侵入する粉塵の量によって、自動で集塵効率を変える空気調和システムが得られる。
【００２６】
また、他の手段は、風路側荷電部または、室内側荷電部のどちらか一方を使用しない構成としたものである。
【００２７】
この手段により、室内に侵入する粉塵が少ないときに、片側の荷電部に電圧を印加しない空気調和システムが得られる。
【００２８】
また、他の手段は、室内に侵入する粉塵を集塵する際に、使用者に現在の集塵効率に従って表示方法を変える表示手段を備えたものである。
【００２９】
この手段により、表示手段により使用者に現在の集塵効率を知らせることができる空気調和システムが得られる。
【００３０】
また、他の手段は、風路側荷電部と、室内側荷電部に異なる電圧をかける構成としたものである。
【００３１】
この手段により、２箇所の異なる印加電圧の荷電部に流れる電流値の差異によって粉塵の粒子径を推測することができる空気調和システムが得られる。
【００３２】
また、他の手段は、集塵する粒子径が大きい場合、送風手段によって風路を通過する粉塵の速度を下げる構成としたものである。
【００３３】
この手段により、粒子径の大きい粉塵を集塵しやすくすることができる空気調和システムが得られる。
【００３４】
また、他の手段は、室内に侵入する粉塵を集塵する際に、使用者に集塵する粒子径に従って表示方法を変える表示手段を備えたものである。
【００３５】
この手段により、表示手段により使用者に現在集塵している粉塵の粒子径を知らせることができる空気調和システムが得られる。
【００３６】
また、他の手段は、風路側荷電部と、室内側荷電部にかける電圧を調整することで、集塵する粒子径を変える構成としたものである。
【００３７】
この手段により、粒子径の大きい粉塵を集塵したいときに、荷電部に印加する電圧を上げることができる空気調和システムが得られる。
【００３８】
また、他の手段は、推測した粒子径に従い、風路側荷電部と、室内側荷電部にかける電圧調整することで、集塵する粒子径を変える構成としたものである。
【００３９】
この手段により、室内に粒子径の大きい粉塵が侵入してきたときに、荷電部に印加する電圧を自動で上げることができる空気調和システムが得られる。
【００４０】
また、他の手段は、２箇所の荷電部のいずれかが性能を出せなくなった場合、片方の荷電部が機能しなくなったことを荷電部に流れる電流値より検知し、他方の荷電部が性能を補う構成としたものである。
【００４１】
この手段により、もう一方の荷電部が性能を補うことができる空気調和システムが得られる。
【００４２】
また、他の手段は、２箇所の荷電部に電圧を印加するための電源装置を並列に接続して１個で行う構成としたものである。
【００４３】
この手段により、２箇所の荷電部に印加する電圧値を１個の電源装置で印加することができる空気調和システムが得られる。
【発明の効果】
【００４４】
本発明によれば、荷電部にかかる電圧値の調節幅を小さく、かつ電圧値を下げながらも必要な集塵効率を得ることができる空気調和システムが得られる。
【００４５】
また、荷電部に印加する電圧を下げて消費電力を下げることができる。
【００４６】
また、使用者が使用中にどれだけの集塵をしているかがわかる空気調和システムが得られる。
【００４７】
また、室内に侵入してくる粉塵の粒子径が予想できることで粉塵の種類が推測できる空気調和システムが得られる。
【００４８】
また、集塵効率の向上することができる空気調和システムが得られる。
【００４９】
また、使用者がどのような種類の粉塵を集塵しているかがわかる空気調和システムが得られる。
【００５０】
また、必要なタイミングで粒子径の大きい粉塵を集塵することができる空気調和システムが得られる。
【００５１】
また、１箇所の荷電部が機能しなくなった場合でも集塵効率を極端に下げない空気調和システムが得られる。
【００５２】
また、電源装置を１個で集塵することができる空気調和システムが得られる。
【発明を実施するための最良の形態】
【００５３】
本発明の請求項１の発明は、機器内に、室外から室内に空気を取り入れるための風路と、粉塵に帯電させる風路側荷電部と、前記風路側荷電部の前段あるいは後段に配置した室内側荷電部と、帯電した粉塵を集塵する集塵部と、帯電した粉塵を荷電部から集塵部へ送る送風手段と、風路側荷電部に電圧を印加する風路側電源と、室内側荷電部に電圧を印加する室内側電源と、風路側荷電部に流れる電流値を検知する風路側電流検知手段と、室内側荷電部に流れる電流値を検知する室内側電流検知手段と、電流値を調節する制御手段を備え、制御手段で２箇所の荷電部を流れる電流値を調節して、必要な集塵効率を得られる構成としたものであり、２箇所の荷電部それぞれの集塵効率を調節することができ、荷電部にかかる電圧値の調節幅を小さく、かつ電圧値を下げながらも必要な集塵効率を得ることができるという作用を有する。
【００５４】
また、風路側電流検知手段で検知した電流値によって、室内側荷電部にかかる電圧を調整する構成としたものであり、室内に侵入する粉塵の量によって、自動で集塵効率を変えることができ、省エネを計ることができるという作用を有する。
【００５５】
また、粉塵濃度を検出する検出手段と、粉塵濃度に応じて制御手段が荷電部にかかる電圧を調節する構成としたものであり、室内に侵入する粉塵の量によって、自動で集塵効率を変えることができ、省エネを計ることができるという作用を有する。
【００５６】
また、風路側荷電部または、室内側荷電部のどちらか一方を使用しない構成としたものであり、室内に侵入する粉塵が少ないときに、片側の荷電部に電圧を印加しないにようにて、省エネを計ることができる作用を有する。
【００５７】
また、室内に侵入する粉塵を集塵する際に、使用者に現在の集塵効率に従って表示方法を変える表示手段を備えたものであり、表示手段により使用者に現在の集塵効率を知らせることで、使用者が使用中にどれだけの集塵をしているかがわかるという作用を有する。
【００５８】
また、風路側荷電部と、室内側荷電部に異なる電圧をかける構成としたものであり、２箇所の異なる印加電圧の荷電部に流れる電流値の差異によって粉塵の粒子径を推測することができ、室内に侵入してくる粉塵の種類が推測できるという作用を有する。
【００５９】
また、集塵する粒子径が大きい場合、送風手段によって風路を通過する粉塵の速度を下げる構成としたものであり、粒子径の大きい粉塵を集塵しやすくすることができ、集塵効率を向上することができるという作用を有する。
【００６０】
また、室内に侵入する粉塵を集塵する際に、使用者に集塵する粒子径に従って表示方法を変える表示手段を備えたものであり、表示手段により使用者に現在集塵している粉塵の粒子径を知らせることができ、使用者がどのような種類の粉塵を集塵しているかがわかるという作用を有する。
【００６１】
また、風路側荷電部と、室内側荷電部にかける電圧を調整することで、集塵する粒子径を変える構成としたものであり、粒子径の大きい粉塵を集塵したいときに、荷電部に印加する電圧を上げることができ、必要なタイミングで粒子径の大きい粉塵を集塵することができるという作用を有する。
【００６２】
また、推測した粒子径に従い、風路側荷電部と、室内側荷電部にかける電圧調整することで、集塵する粒子径を変える構成としたものであり、室内に粒子径の大きい粉塵が侵入してきたときに、荷電部に印加する電圧を自動で上げることができ、必要なタイミングで粒子径の大きい粉塵を集塵することができる作用を有する。
【００６３】
また、２箇所の荷電部のいずれかが性能を出せなくなった場合、片方の荷電部が機能しなくなったことを荷電部に流れる電流値より検知し、他方の荷電部が性能を補う構成としたものであり、もう一方の荷電部が性能を補うことができ、１箇所の荷電部が機能しなくなった場合でも集塵効率を極端に下げないという作用を有する。
【００６４】
また、２箇所の荷電部に電圧を印加するための電源装置を並列に接続して１個で行う構成としたものであり、２箇所の荷電部に印加する電圧値を１個の電源装置で印加することができ、電源装置を１個で集塵することができるという作用を有する。
【００６５】
以下、本発明の実施の形態について図面を参照しながら説明する。
【００６６】
（実施の形態１）
図１に示すように、機器内に、室外から室内に空気を取り入れるための風路１と、粉塵に帯電させる風路側荷電部２と、風路側荷電部に並列に配置した室内側荷電部３と、帯電した粉塵を集塵する集塵部としてのフィルター４と、帯電した粉塵を荷電部から集塵部へ送る送風手段としてのファンモーター５と、風路側荷電部に電圧を印加する風路側電源装置６と、室内側荷電部に電圧を印加する室内側電源装置７と、風路側荷電部に流れる電流値を検知する風路側電流検知手段としての風路側電流検知回路８と、室内側荷電部に流れる電流値を検知する室内側電流検知手段としての室内側電流検知回路９と、電流値を調節する制御手段としてのマイコン１０を構成する。
【００６７】
上記構成において、屋外から風路１からファンモーター５によって外気とともに室内に侵入してくる粉塵は、まず前段の風路側荷電部２を通過時に風路側荷電部２によって帯電される。つぎに、風路側荷電部２によって帯電した粉塵は、風路側荷電部２の後段の室内側荷電部３を通過時に室内側荷電部３によって帯電される。帯電した粉塵はフィルター４で集塵されて、粉塵を取り除いた清浄空気となった外気のみが室内に流れ込む。
【００６８】
風路側荷電部２および室内側荷電部３に印加する電圧値はそれぞれ、風路側電源装置６および室内側電源装置７によって調節可能であり、２箇所の荷電部に印加する電圧値を高くすれば集塵効率は高くなり、電圧値を低くすれば集塵効率を下げる代わりに省エネを図ることができる。
【００６９】
また、風路側荷電部２および室内側荷電部３に流れる電流値をそれぞれ、風路側電流検知回路８および室内側電流検知回路９によって検出でき、検出した電流値をマイコン１０が認識して風路側電源装置６および室内側電源装置７を制御して適切な電圧値に調節する。
【００７０】
ここで、適切な電圧値とは２箇所の荷電部に流れる電流値が大きくなりすぎてアーク放電が発生しない、逆に電流値が低すぎて目的の集塵効率が確保できなくならない程度の電圧値である。
【００７１】
屋外から侵入する外気が多くの粉塵を含んで室内に侵入してきたときは、風路側電源装置６および室内側電源装置７を調節し、風路側荷電部２および室内側荷電部３に印加する電圧値を高くすることで、集塵効率を高くすることができるが、荷電部が２箇所あるために、一つの荷電部に印加する電圧値は荷電部が一箇所しかない場合と比較して低くすることができるので、集塵効率を変更するときに調節する電圧値の幅を少なくできる。
【００７２】
例えば、一箇所しか荷電部が無い場合には、充分な集塵効率が必要である場合に最高６ｋＶの電圧値を印加しなくてはならなかったが、２箇所の荷電部を備えることで、６ｋＶ以下の電圧値の印加で同等の集塵効率を得ることができるため、集塵効率を変化する際に２ｋＶ〜６ｋＶまで変化していた変化幅も少なくすることができる。
【００７３】
また、風路側電流検知回路８および室内側電流検知回路９で検出した電流値をマイコン１０が認識して、検出した電流値が大きい場合は、マイコン１０より風路側電源装置６および室内側電源装置７に印加する電圧値を高く調節する信号を送り、逆に検出した電流値が低い場合は、マイコン１０より風路側電源装置６および室内側電源装置７に印加する電圧値を低くする信号を送る。
【００７４】
２箇所の荷電部に流れる電流値が高いときは、それぞれの荷電部を通過する粉塵の量が多く、帯電する粉塵が多くなる為であり、集塵効率を上げるためにマイコン１０からそれぞれの電源装置に電圧値を上げるように信号を送る。また、風路１上に粉塵濃度を検出する検出手段としての埃センサー１１を構成する。埃センサー１１が粉塵を検知したとき、埃センサー１１からマイコン１０に信号を送り、マイコン１０は屋外から粉塵が侵入してきたとして、２箇所の電源装置の電圧値を調節して、２箇所の荷電部に印加する電圧値を高くする。
【００７５】
逆に埃センサー１１が粉塵を検知していないときは、埃センサー１１からマイコン１０に信号を送り、埃センサー１１からマイコン１０へ屋外から侵入する粉塵の量が少ないとして、２箇所の電源装置の電圧値を調節して、２箇所の荷電部に印加する電圧値を低くする。
【００７６】
また、屋外から侵入する粉塵の量が少ない時、マイコン１０より、風路側電源装置６または室内側電源装置７のどちらか一方に電源供給を遮断する信号を送り、どちらか一方の荷電部を使用しないようにする。
【００７７】
例えば、埃センサー１１により風路１を通過する粉塵の量が少ないと認識し、埃センサー１１からマイコン１０へ信号を送る。
【００７８】
マイコン１０は粉塵の量が少ないと認識し、集塵効率を下げる為に室内側電源装置７から室内側荷電部３に印加している電圧を遮断するように信号を送り、風路側荷電部２のみで集塵を行い、省エネを計る。
【００７９】
なお、本実施の形態では、印加する電圧を遮断する荷電部を室内側荷電部としたが、風路側荷電部とた場合も同様の作用効果をもたらすことは言うまでもない。
【００８０】
なお、本実施の形態では、集塵部としてフィルター４、送風手段としてファンモーター５、風路側電流検出手段として、風路側電流検知回路８、室内側電流検出手段として、室内側電流検知回路９、制御手段としてマイコン１０、粉塵濃度を検出する検出手段として埃センサー１１を用いたが、同様の作用効果をもたらすものであればこれに限るものではない。
【００８１】
なお、本実施例では、風路側荷電部２の下流側に室内側荷電部３を備えたが、風路側荷電部２の上流側に室内側荷電部３を備えてもよい。
【００８２】
（実施の形態２）
次に、本発明の実施の形態２について図面を参照しながら説明する。なお、実施の形態２と同一のものは同一番号を付し、その詳細な説明を省略する。図２に示すように、使用者に集塵効率を表示する表示手段としてのＬＥＤ１２を構成する。
【００８３】
屋外から侵入する外気が含む粉塵の量を検知し、粉塵の量をＬＥＤ１２によって使用者に促し、使用者が現在どの程度の粉塵の量を集塵しているかを把握することができる。例えば、埃センサー１１により風路１を通過する粉塵の量が少ないと認識した場合、埃センサー１１からマイコン１０へ信号を送る。マイコン１０は集塵量が少ないと判断し、ＬＥＤ１２を青色で点灯するように信号を送り、使用者に現在集塵量が少ないことを促す。
【００８４】
逆に、埃センサー１１より風路１を通過する粉塵の量が多いと認識した場合、埃センサー１１からマイコン１０へ信号を送る。マイコン１０は集塵量が多いと判断し、ＬＥＤ１２を赤色で点灯するように信号を送り、使用者に現在集塵量が多いことを促す。
【００８５】
なお、本実施の形態では、集塵量が少ないときにＬＥＤ１２の色を青色、多いときに赤色としたが、同様の作用効果をもたらすものであればこれに限るものではない。なお、本実施の形態では、表示手段としてＬＥＤ１２としたが、同様の作用効果をもたらすものであればこれに限るものではない。
【００８６】
（実施の形態３）
次に、本発明の実施の形態３について図面を参照しながら説明する。なお、実施の形態１と同一のものは同一番号を付し、その詳細な説明を省略する。
【００８７】
図３に示すように、風路１から侵入してきた粉塵は風路側荷電部２および室内側荷電部３によって帯電されて、フィルター４で集塵される。
【００８８】
風路側荷電部２に印加する電圧および室内側荷電部３に印加する電圧値を、ぞれぞれ風路側電源装置６および室内側電源装置７で調節し、風路側荷電部２に印加する電圧は小さい粒子径（例えば、花粉より小さい粉塵粒子で、１０〜２０μｍ以下の粉塵粒子）の粉塵のみ帯電できる程度の電圧、例えば３〜４ＫＶ程度の電圧を印加し、室内側荷電部３には大きい粒子径（例えば、花粉などの１０〜２０μｍ以上の粉塵粒子）の粉塵にも帯電可能な程度の電圧、例えば６ＫＶ程度の電圧を印加する。なお、本実施例では、風路側荷電部２の下流側に室内側荷電部３を備えたが、風路側荷電部２の上流側に室内側荷電部３を備えてもよい。
【００８９】
小さい粒子径の粉塵は、風路側荷電部２に小さい粒子径のみ帯電できる程度の電圧を印加しているため、風路側電流検知回路８で検知する電流値に影響を与えるが、大きい粒子径の粉塵は、前記印加電圧では帯電が充分ではなく、風路側検知回路に影響を与えない。
【００９０】
大きい粒子径の粉塵が室内側荷電部３を通過するとき、大きい粒子径にも帯電可能である程度の電圧を印加しているため、室内側電流検知回路９に影響を与える。
【００９１】
つまり、小さい風路１を通過する粉塵が小さい粒子径のみであった場合、風路側電流検知回路８に影響を与えるが、粉塵に大きい粒子径を含む場合は、室内側電流検知回路９にも影響を与えるため、集塵する粉塵の粒子径を推測することができる。
【００９２】
例えば、煙などの細かい粉塵であった場合、風路側電流検知回路８および室内側検知回路９にそれぞれ５ｍＡおよび８ｍＡ程度の電流値が検知されていたとき、花粉などの大きな粉塵が侵入してきた場合、風路側電流検知回路８および室内側検知回路９にそれぞれ５ｍＡおよび１０ｍＡ程度の電流値が検知されて、室内側電流検知回路９のみに影響を与える。
【００９３】
また、大きい粒子径を含む粉塵が室内に侵入してきた場合、ファンモーター５の回転数を抑えて室内に取り込む外気の風速を下げる。ファンモーター５の回転数を下げて室内に取り込む外気の風速を落とすことによって、大きな粒子径の粉塵に帯電する時間が長くなり、充分帯電することが可能となる。充分帯電された大きい粒子径の粉塵はフィルター４によって集塵されるため、ファンモーター５の回転数を抑えることで集塵効率を向上することが可能となる。
【００９４】
なお、本実施の形態では、検知した電流値を５ｍＡ、８ｍＡ、１０ｍＡとしたが、環境、構造により変更されることは言うまでもない。なお、本実施の形態では、集塵部としてフィルター４、送風手段としてファンモーター５、風路側電流検出手段として、風路側電流検知回路８、室内側電流検出手段として、室内側電流検知回路９、制御手段としてマイコン１０、同様の作用効果をもたらすものであればこれに限るものではない。
【００９５】
（実施の形態４）
次に、本発明の実施の形態３について図面を参照しながら説明する。なお、実施の形態１、３と同一のものは同一番号を付し、その詳細な説明を省略する。
【００９６】
図４に示すように、使用者に集塵する粉塵の粒子径を表示する表示手段としてのＬＥＤ１２ａを構成する。
【００９７】
屋外から侵入する外気が含む粉塵の粒子径を検知し、粉塵の粒子径をＬＥＤ１２によって使用者に促し、使用者が現在どの程度の粒子径の粉塵を集塵しているかを把握することができる。
【００９８】
例えば、風路側電流検知回路８および室内側電流検知回路９によって検知した電流値をマイコン１０へ送信し、マイコン１０が大きい粒子径を集塵していると認識した時、マイコン１０からＬＥＤ１２ａに信号を送り、ＬＥＤ１２ａによって使用者に粒子径の大きい粉塵を集塵していることを促す。
【００９９】
例えば、マイコン１０により風路１を通過する粉塵の粒子径が小さいと認識した場合、マイコン１０からＬＥＤ１２ａへ青色で点灯するように信号を送り、使用者に現在集塵している粒子径が小さいことを促す。逆に、マイコン１０により風路１を通過する粉塵の粒子径が大きいと認識した場合、マイコン１０からＬＥＤ１２ａへ赤色で点灯するように信号を送り、使用者に現在集塵している粒子径が大きいことを促す。
【０１００】
なお、本実施の形態では、集塵している粒子径が大きいときにＬＥＤ１２ａの色を青色、小さいときに赤色としたが、同様の作用効果をもたらすものであればこれに限るものではない。なお、本実施の形態では、表示手段としてＬＥＤ１２ａとしたが、同様の作用効果をもたらすものであればこれに限るものではない。
【０１０１】
（実施の形態５）
次に、本発明の実施の形態５について図面を参照しながら説明する。なお、実施の形態１、３と同一のものは同一番号を付し、その詳細な説明を省略する。
【０１０２】
図５に示すように、風路１から侵入してきた粉塵は風路側荷電部２および室内側荷電部３によって帯電されて、フィルター４で集塵される。
【０１０３】
風路側荷電部２に印加する電圧および室内側荷電部３に印加する電圧値を、ぞれぞれ風路側電源装置６および室内側電源装置７で調節し、風路側荷電部２に印加する電圧は小さい粒子径の粉塵のみ帯電できる程度の電圧、室内側荷電部３には大きい粒子径の粉塵にも帯電可能で程度の電圧を印加する。
【０１０４】
大きい粒子径の粉塵を集塵したい場合はマイコン１０より風路側荷電部２と室内側荷電部３の２箇所の電源装置に電圧値を上げる信号を送り、２箇所の荷電部に印加する電圧値を上げて、大きい粒子径の粉塵に充分帯電し、フィルター４で集塵できるようにする。
【０１０５】
また、大きい粒子径の粉塵にも帯電可能な電圧を印加した室内側荷電部３に流れる電流値を室内側電流検知回路９で検知し、マイコン１０が粒子径の大きい粉塵を集塵していると認識したとき、大きい粒子径の粉塵を集塵するために、マイコン１０から風路側電源装置６および室内側電源装置７に信号をおくり、２箇所の荷電部に印加する電圧値を上げて、大きい粒子径の粉塵に充分帯電し、フィルター４で集塵できるようにする。
【０１０６】
例えば、煙などの細かい粉塵であった場合、風路側電流検知回路８および室内側検知回路９にそれぞれ５ｍＡおよび８ｍＡ程度の電流値が検知されていたとき、花粉などの大きな粉塵が侵入してきた場合、風路側電流検知回路８および室内側検知回路９にそれぞれ５ｍＡおよび１０ｍＡ程度の電流値が検知されて、マイコン１０は大きい粒子径の粉塵が侵入してきたと認識する。マイコン１０は大きい粒子径の粉塵を集塵するために、２箇所の電源装置に電圧を上げるように信号を送り、２箇所の荷電部に印加する電圧値を上げる。
【０１０７】
これにより、大きな粒子径の粉塵は充分帯電されることになり、フィルター４にて集塵可能となる。
【０１０８】
なお、本実施の形態では、検知した電流値を５ｍＡ、８ｍＡ、１０ｍＡとしたが、環境、構造により変更されることは言うまでもない。
【０１０９】
なお、本実施の形態では、集塵部としてフィルター４、送風手段としてファンモーター５、風路側電流検出手段として、風路側電流検知回路８、室内側電流検出手段として、室内側電流検知回路９、制御手段としてマイコン１０、同様の作用効果をもたらすものであればこれに限るものではない。また、風路側荷電部２または室内側荷電部３のどちらかが寿命、もしくは異常時等で機能が充分に発揮できなくなった場合、機能しない側の電流検知回路によって機能できないことを検知し、マイコン１０に信号を送る。
【０１１０】
マイコン１０は機能できない側の電源装置に電圧の印加を遮断するように信号を送り、もう一方の荷電部で集塵を行うように切り替える。
【０１１１】
例えば、室内側荷電部３が埃の蓄積によりアーク放電が頻発するようになったとき、室内側電流検知回路９はアーク放電に伴い大電流が室内側荷電部３に流れていることを検知し、マイコン１０へ室内側荷電部が機能しない状態である信号を送る。
【０１１２】
マイコン１０は室内側荷電部３が機能しない状態にあることを認識し、室内側電源装置７に室内側荷電部３への電圧印加を遮断する信号を送り、風路側荷電部２のみで集塵をするように切り替える。
【０１１３】
なお、本実施の形態では、集塵部としてフィルター４、送風手段としてファンモーター５、風路側電流検出手段として、風路側電流検知回路８、室内側電流検出手段として、室内側電流検知回路９、制御手段としてマイコン１０、同様の作用効果をもたらすものであればこれに限るものではない。
【０１１４】
（実施の形態６）
次に、本発明の実施の形態６について図面を参照しながら説明する。なお、実施の形態１と同一のものは同一番号を付し、その詳細な説明を省略する。
【０１１５】
風路側荷電部２および室内側荷電部３に電圧を印加する電源装置１３と風路側荷電部２への電圧値を降圧する為の可変抵抗器１４を構成する。
【０１１６】
２箇所の荷電部に同一の電圧値を印加するときは可変抵抗器１４は抵抗値を下げて、風路側荷電部２への電圧値を室内側荷電部３の電圧値より下げたいときには可変抵抗器１４の値を上げて降圧した電圧を風路側荷電部２へ印加する。
【産業上の利用可能性】
【０１１７】
高圧電圧を用いて電気集塵を行う機器などの用途にも適用することができる。
【図面の簡単な説明】
【０１１８】
【図１】本発明の実施の形態１の空気調和機の構成を示す概略図
【図２】本発明の実施の形態２の空気調和機の構成を示す概略図
【図３】本発明の実施の形態３の空気調和機の構成を示す概略図
【図４】本発明の実施の形態４の空気調和機の構成を示す概略図
【図５】本発明の実施の形態５の空気調和機の構成を示す概略図
【図６】本発明の実施の形態６の空気調和機の構成を示す概略図
【図７】従来の空気調和機の構成を示す概略図
【図８】従来の空気調和機の構成を示す概略図
【符号の説明】
【０１１９】
１      風路
２      風路側荷電部
３      室内側荷電部
４      フィルター
５      ファンモーター
６      風路側電源装置
７      室内側電源装置
８      風路側電流検知回路
９      室内側電流検知回路
１０    マイコン
１１    埃センサー
１２    ＬＥＤ
１２ａ  ＬＥＤ
１３    電源装置
１４    可変抵抗器
１０１  ケーシング
１０２  第１集塵部
１０３  第２集塵部
１０４  集塵部
１０５  放電極
１０６  高圧電源
１０７  集塵極
１０８  放電極
１０９  ガス導入口
１１０  排出口
【図１】
2008213711.tif 000003
【図２】
2008213711.tif 000004
【図３】
2008213711.tif 000005
【図４】
2008213711.tif 000006
【図５】
2008213711.tif 000007
【図６】
2008213711.tif 000008
【図７】
2008213711.tif 000009
【図８】
2008213711.tif 000010